(57)【要約】【課題】取り付けるためのねじを紛失に注意しておく必要がなく、且つ扉に対する取り付けが簡単に行なえるようにした平面ハンドルの取り付け部構造を提供する。【解決手段】平面ハンドル装置の前面部２の裏面には本体部１の他に、本体部１の一端側に隣接するように固定台座１１が一体に設けられ、この固定台座１１に隣接して本体部１の一端側において前面部２の裏面から突出する台形状の突出部１２が設けられ、固定台座１１には裏面側より雌ねじ孔１１ａが形成されており、固定台座１１に前面部２の裏面側で扉１０の裏面に門形の固定金具１３を圧接するために雌ねじ孔１１ａに螺入する雄ねじ部材１４を備え、固定台座１１に固定金具１３を仮止めした状態で本体部１、固定台座１１、突出部１２を扉１０に形成した取り付け孔１０ａに嵌め込むようにした。【選択図】図４
2011094360.tif 000002
【特許請求の範囲】
【請求項１】
平面ハンドル装置の本体部の前面に一体に形成され本体部より外側に大きく張り出す鍔状の前面部を備え、配電ボックスなどの扉に対する平面ハンドル装置の取り付け部構造であって、平面ハンドル装置の前面部の裏面には前記本体部の他に、本体部の一端側に隣接するように固定台座が一体に設けられ、この固定台座に隣接して本体部の一端側において前面部の裏面から突出する台形状の突出部が設けられ、前記固定台座には裏面側より雌ねじ孔が形成されており、固定台座に前面部の裏面側で扉の裏面に門形の固定金具を圧接するために前記雌ねじ孔に螺入する雄ねじ部材を備え、固定台座に固定金具を仮止めした状態で本体部、固定台座、突出部を扉に形成した取り付け孔に嵌め込み、前記鍔状の前面部の裏面を扉の前面に当接させ、かかる状態で前記雄ねじ部材を締め付けることにより雄ねじ部材の締め付け力が固定金具に伝達され、固定金具の両先端は前記突出部のテーパー面に当接した状態で徐々に両先端間が広がり、最終的に固定金具の両先端が扉の裏面に当接して平面ハンドル装置が固定されるようにしたことを特徴とする平面ハンドル装置の取り付け部構造。
【請求項２】
雄ねじ部材の頭部と固定金具の中央部との間に押さえ板が介在され、雄ねじ部材の締め付け力が押さえ板を介して固定金具に伝達されるように構成したことを特徴とする請求項１記載の平面ハンドル装置の取り付け部構造。
【発明の詳細な説明】
【技術分野】
【０００１】
本発明は、例えば配電ボックス、ガスチャンバー、トランクルームなどのボックスを開閉する扉に取り付けられる平面ハンドル装置の取り付け部構造に関するものである。
【背景技術】
【０００２】
従来のこの種扉用平面ハンドル装置としては例えば特許文献１に開示されているものが一例として知られている。この特許文献１に開示されている扉開閉用取手は取手本体の上下の鍔部の裏面に取手本体取付用のねじ座が設けられており、取手本体を扉の取り付け孔に前方から嵌め込むとともにねじ座を扉の孔部に嵌め込み、扉の裏面側より上下のねじ座の位置で扉開閉用取手を扉に対しねじ止めしている。
【先行技術文献】
【特許文献】
【０００３】
【特許文献１】特開平０６−５００４１号公報
【発明の概要】
【発明が解決しようとする課題】
【０００４】
上記のような扉開閉用取手の取り付け構造では、上下のねじ座の位置で扉開閉用取手を扉に対しねじ止めして取り付けているのであるが、扉開閉用取手を扉に対し取り付けるためのねじを紛失に注意して別に２本用意しておかなければならず、面倒であり、ねじ止め箇所が２箇所であり、扉開閉用取手の取り付け作業に手間がかかるという問題があった。
【０００５】
本発明の目的は、このような課題を解決するものであり、取り付けるためのねじを紛失に注意しておく必要がなく、且つ扉に対する取り付けが簡単に行なえるようにした平面ハンドルの取り付け部構造を提供することにある。
【課題を解決するための手段】
【０００６】
本発明の請求項１に記載の平面ハンドル装置の取り付け部構造は、平面ハンドル装置の本体部の前面に一体に形成され本体部より外側に大きく張り出す鍔状の前面部を備え、配電ボックスなどの扉に対する平面ハンドル装置の取り付け部構造であって、平面ハンドル装置の前面部の裏面には前記本体部の他に、本体部の一端側に隣接するように固定台座が一体に設けられ、この固定台座に隣接して本体部の一端側において前面部の裏面から突出する台形状の突出部が設けられ、前記固定台座には裏面側より雌ねじ孔が形成されており、固定台座に前面部の裏面側で扉の裏面に門形の固定金具を圧接するために前記雌ねじ孔に螺入する雄ねじ部材を備え、固定台座に固定金具を仮止めした状態で本体部、固定台座、突出部を扉に形成した取り付け孔に嵌め込み、前記鍔状の前面部の裏面を扉の前面に当接させ、かかる状態で前記雄ねじ部材を締め付けることにより雄ねじ部材の締め付け力が固定金具に伝達され、固定金具の両先端は前記突出部のテーパー面に当接した状態で徐々に両先端間が広がり、最終的に固定金具の両先端が扉の裏面に当接して平面ハンドル装置が固定されるようにしたことを特徴とする。
【０００７】
請求項２に記載の平面ハンドル装置の取り付け部構造は、雄ねじ部材の頭部と固定金具の中央部との間に押さえ板が介在され、雄ねじ部材の締め付け力が押さえ板を介して固定金具に伝達されるように構成したことを特徴とする。
【発明の効果】
【０００８】
以上のように、本発明の平面ハンドル装置の取り付け部構造は、前面部の裏面に本体部の一端側に隣接するように設けられた固定台座に門形の固定金具を雄ねじ部材により仮止め状態で本体部、固定台座、固定金具を扉に形成した取り付け孔に嵌め込み、鍔状の前面部の裏面を扉の前面に当接させ、かかる状態で雄ねじ部材を締め付けるという簡単な作業で扉に対する平面ハンドル装置の取り付けが行なえ、しかも平面ハンドル装置を取り付けるための雄ねじ部材や押さえ板、固定金具の紛失の心配をなくすことができる。また、雄ねじ部材の頭部と固定金具の中央部との間に押さえ板を介在することにより、雄ねじ部材の締め付け力を押さえ板を介して固定金具に有効に伝達させることができる。
【図面の簡単な説明】
【０００９】
【図１】本発明の一実施の形態における平面ハンドル装置を前方から見た要部分解斜視図である。
【図２】同平面ハンドル装置を後方から見た要部分解斜視図である。
【図３】同平面ハンドル装置を後方から見た斜視図である。
【図４】同平面ハンドル装置を扉の取り付け孔に嵌め込んだ状態を示す斜視図である。
【図５】同平面ハンドル装置を扉の取り付け孔に嵌め込んだ状態を示す要部断面図である。
【図６】同平面ハンドル装置を扉の取り付け孔に固定した状態を示す斜視図である。
【図７】同平面ハンドル装置を扉の取り付け孔に固定した状態を示す要部断面図である。
【図８】同平面ハンドル装置が取り付けられた扉が開いた状態を示す斜視図である。
【図９】同平面ハンドル装置が取り付けられた扉が開いた状態を示す断面図である。
【図１０】同平面ハンドル装置が取り付けられた扉が閉じた状態を示す斜視図である。
【図１１】同平面ハンドル装置が取り付けられた扉が閉じた状態を示す断面図である。
【発明を実施するための形態】
【００１０】
以下、本発明の一実施の形態を、図１〜図１１を用いて具体的に説明する。
図において、１は平面ハンドル装置の本体部で、横向きに長く形成され、この本体部１の前面には本体部１より外側に大きく張り出す鍔状の前面部２が一体に形成されている。この前面部２には横長の開口部３が形成され、この開口部３を開閉するようにハンドル４が鉛直軸芯５により支持されている。６はハンドル４を開く方向と閉じる方向にそれぞれクリック動作させるために本体部１内に設けたばねである。前記ハンドル４には本体部１の後面側に形成された開口部１ａより後方に突出する突出部４ａを一体に備え、この突出部４ａはハンドル４の開閉動作により左右に動作するようになっている。つまり、ハンドル４を手前に引いて突出させ開くことにより、突出部４ａは本体部１の一端側に動き、ハンドル４を閉じることにより、突出部４ａは本体部１の他端側に動くように構成されている。７は前記突出部４ａの動作により左右に往復動作を行なうように本体部１の後面に重なって取り付けられた板状のロック部材で、このロック部材７には本体部１の後面に重なる部分において左右方向に長孔８が形成されており、前記長孔８より本体部１の後面の雌ねじ孔１ｂに螺入する雄ねじ部材９をガイドとして左右に往復動作を行なえるように構成されている。なお、本体部１に対するロック部材７の取り付け状態においてロック部材７は先端が本体部１の他端側から突出している。７ａはロック部材７の先端のロック片である。
【００１１】
以上のように構成された平面ハンドル装置は例えば配電ボックスの扉１０に取り付けられるものであって、次にその取り付け部について説明する。
平面ハンドル装置の前面部２の裏面には前記本体部１の他に、本体部１の一端側に隣接するように固定台座１１が一体に設けられ、この固定台座１１は本体部１の一端側において前面部２の裏面から突設し固定台座１１に隣接するように固定台座１１よりも高さの低い２つの台形状の突出部１２との間で挟まれるように構成されている。そして、前記固定台座１１には裏面側より雌ねじ孔１１ａが形成されており、固定台座１１に前面部２の裏面側で扉１０の裏面に門形の固定金具１３を圧接するために前記雌ねじ孔１１ａに螺入する雄ねじ部材１４を備え、この雄ねじ部材１４の頭部１４ａと固定金具１３の中央部１３ａとの間に２つの座金１５，１６と、固定金具１３の中央部１３ａに当接する押さえ板１７が介在され、平面ハンドル装置を扉１０に取り付けるまでは雄ねじ部材１４は締め付けずに座金１５，１６、押さえ板１７、固定金具１３は固定台座１１に仮止めされた状態となっている。
【００１２】
平面ハンドル装置を扉１０に取り付ける場合は平面ハンドル装置の本体部１、固定台座１１、突出部１２を扉１０に横長に形成した取り付け孔１０ａに嵌め込み、前記鍔状の前面部２の裏面を扉１０の前面に当接させ、かかる状態で前記雄ねじ部材１４を締め付けることにより雄ねじ部材１４の締め付け力が押さえ板１７を介して固定金具１３に伝達され、固定金具１３の両先端１３ｂ，１３ｂは前記突出部１２のテーパー面１２ａに当接した状態で徐々に両先端１３ｂ，１３ｂ間が広がり、最終的に固定金具１３の両先端１３ｂ，１３ｂが扉１０の裏面に当接して平面ハンドル装置の一端側が固定されることになる。なお、平面ハンドル装置の他端側においては平面ハンドル装置の本体部１、固定台座１１、突出部１２を扉１０の取り付け孔１０ａに嵌め込んだ際に本体部１のテーパー状の切り欠き部１ｃと前面部２との間で扉１０の取り付け孔１０ａの縁部に係止することになり、前記平面ハンドル装置の一端側を雄ねじ部材１４の締め付けにより固定金具１３で固定することで平面ハンドル装置は扉１０に取り付けられることになる。
【００１３】
以上のように平面ハンドル装置が取り付けられた扉１０は閉じた状態においてハンドル４も閉じていてロック部材７のロック片７ａは配電ボックスの前面縦枠部１８の内側折れ曲がり板部１８ａに形成された係止孔１８ｂに嵌入係止して扉１０は閉じた状態が保持される。扉１０を開くときはハンドル４に指を掛けて手前に引いて突出させることにより、前記ロック部材７のロック片７ａは前記係止孔１８ｂから抜け外れ、手前に突出したハンドル４を掴んで扉１０を開くことができる。
【産業上の利用可能性】
【００１４】
本発明の平面ハンドル装置の取り付け部構造は、例えば配電ボックス、ガスチャンバー、トランクルームなどのボックスを開閉する扉に簡単に取り付けられる平面ハンドル装置の取り付け部構造である。
【符号の説明】
【００１５】
１      本体部
１ａ    開口部
１ｂ    雌ねじ孔
１ｃ    切り欠き部
２      前面部
３      開口部
４      ハンドル
４ａ    突出部
５      鉛直軸芯
６      ばね
７      ロック部材
７ａ    ロック片
８      長孔
９      雄ねじ部材
１０      扉
１０ａ    取り付け孔
１１      固定台座
１１ａ    雌ねじ孔
１２      突出部
１２ａ    テーパー面
１３      固定金具
１３ａ    中央部
１３ｂ    先端
１４      雄ねじ部材
１４ａ    頭部
１７      押さえ板
１８      縦枠部
１８ａ    内側折れ曲がり板部
１８ｂ    係止孔
【図１】
2011094360.tif 000003
【図２】
2011094360.tif 000004
【図３】
2011094360.tif 000005
【図４】
2011094360.tif 000006
【図５】
2011094360.tif 000007
【図６】
2011094360.tif 000008
【図７】
2011094360.tif 000009
【図８】
2011094360.tif 000010
【図９】
2011094360.tif 000011
【図１０】
2011094360.tif 000012
【図１１】
2011094360.tif 000013